(57)【特許請求の範囲】
【請求項１】
ＷＷＷブラウザデータを送信する無線基地局と無線通信を行う無線通信部と、端末装置の種々の制御をつかさどる制御部と、各種の変数やパラメータを記憶するメモリ部と、各種情報データを記憶するデータ記憶部と、データを表示する表示部と、端末を操作するための操作部とを備えた無線情報端末装置において、
前記制御部が、データ終了情報が付加されたＷＷＷブラウザデータを取得中に、データ通信が切断される際に、前記ＷＷＷブラウザデータにデータ中断フラグを付加して前記データ記憶部に記憶させる手段と、再度ＷＷＷブラウザデータを取得する際に、前記データ記憶部からデータ中断フラグを検出し、重複データ信号を前記無線基地局に返す手段とを有し、前記無線基地局により、取得中断されるまでのデータの重複課金が排除されることを特徴とする無線情報端末装置。
【請求項２】
前記重複データ信号は、前記データ中断フラグを検出するまでのデータが重複データであることを認識させる信号であることを特徴とする、請求項１に記載の無線情報端末装置。
【請求項３】
ＷＷＷブラウザデータを送信する無線基地局と無線通信を行う無線通信部と、端末装置の種々の制御をつかさどる制御部と、各種の変数やパラメータを記憶するメモリ部と、各種情報データを記憶するデータ記憶部と、データを表示する表示部と、使用者が端末を操作するための操作部とを備えた無線情報端末装置による無線通信方法において、
データ終了情報が付随したＷＷＷブラウザデータを取得中に、データ通信が切断される際に、前記制御部が、前記ＷＷＷブラウザデータにデータ中断フラグを付加して前記データ記憶部に記憶させるステップと、
再度ブラウザデータを取得する際に、前記制御部が、前記データ記憶部からデータ中断フラグを検出し、重複データ信号を前記無線基地局に返すステップと、
前記無線基地局が、取得中断されるまでのデータの重複課金を排除するステップとを含むことを特徴とする無線通信方法。
【請求項４】
前記重複データ信号は、前記制御部が、前記データ記憶部に記憶されているデータを読み出し、前記データ中断フラグを検出するまでのデータが重複データであることを認識させる信号であることを特徴とする、請求項３に記載の無線通信方法。
【請求項５】
前記制御部が、前記データ中断フラグを付加する前に、データ中断前にデータ終了信号を受信したかどうかを判断するステップを含み、前記データ終了信号を受信していないときに、前記データ中断フラグを付加することを特徴とする、請求項３または４に記載の無線通信方法。
【発明の詳細な説明】
【０００１】
【発明の属する技術分野】
本発明は、無線情報端末に関し、特に、取得中断された時に再度取得するために重複する課金を低減した無線情報端末に関する。
【０００２】
【従来の技術】
一般に、無線情報端末装置で電子メールやＷＷＷブラウザ閲覧といったデータ通信が可能となっているが、ＷＷＷブラウザ情報を取得する際、無線であるため電波状態によりブラウザデータ取得途中で通信が切断され、再度同じＷＷＷブラウザを読み込んだ場合、切断前のデータは重複して取得することになり、取得できない場合も通信料金は課金されていた。
【０００３】
【発明が解決しようとする課題】
従って、従来では、無線情報端末でＷＷＷブラウザ情報を取得する際、取得中断された時に、再度同じＷＷＷブラウザを読み込んだ場合、切断前のデータを重複して取得し、有線に比較し料金の高い無線通信となり、経済的にも不都合であるという問題があった。
【０００４】
そこで、本発明の目的は、上記問題を解決するために、無線情報端末装置においてＷＷＷブラウザ情報を取得する際、取得中断された時に、再度取得するために重複する課金を低減した無線情報端末装置を提供することにある。
【０００５】
【課題を解決するための手段】
上記目的を達成するために、本発明の無線情報端末装置は、ＷＷＷブラウザデータを送信する無線基地局と無線通信を行う無線通信部と、端末装置の種々の制御をつかさどる制御部と、各種の変数やパラメータを記憶するメモリ部と、各種情報データを記憶するデータ記憶部と、データを表示する表示部と、端末を操作するための操作部とを備えた無線情報端末装置において、制御部は、データ終了情報が付加されたＷＷＷブラウザデータを取得中に、データ通信が切断される際に、ＷＷＷブラウザデータにデータ中断フラグを付加してデータ記憶部に記憶させる手段と、再度ＷＷＷブラウザデータを取得する際に、データ記憶部からデータ中断フラグを検出し、重複データ信号を無線基地局に返す手段とを有し、無線基地局により、取得中断されるまでのデータの重複課金が排除されることを特徴とする。
【０００６】
また、重複データ信号は、データ中断フラグを検出するまでのデータが重複データであることを認識させる信号であるのが好ましい。
【０００９】
さらに、本発明の無線情報端末装置による無線通信方法は、ＷＷＷブラウザデータを送信する無線基地局と無線通信を行う無線通信部と、端末装置の種々の制御をつかさどる制御部と、各種の変数やパラメータを記憶するメモリ部と、各種情報データを記憶するデータ記憶部と、データを表示する表示部と、使用者が端末を操作するための操作部とを備えた無線情報端末装置による無線通信方法において、データ終了情報が付随したＷＷＷブラウザデータを取得中に、データ通信が切断される際に、制御部が、ＷＷＷブラウザデータにデータ中断フラグを付加してデータ記憶部に記憶させるステップと、再度ブラウザデータを取得する際に、制御部が、データ記憶部からデータ中断フラグを検出し、重複データ信号を無線基地局に返すステップと、無線基地局が、取得中断されるまでのデータの重複課金を排除するステップとを含むことを特徴とする。
【００１０】
また、重複データ信号は、制御部が、データ記憶部に記憶されているデータを読み出し、データ中断フラグを検出するまでのデータが重複データであることを認識させる信号であるのが好ましい。
【００１１】
さらに、制御部が、データ中断フラグを付加する前に、データ中断前にデータ終了信号を受信したどうかを判断するステップを含み、データ終了信号を受信していないときに、データ中断フラグを付加するのが好ましい。
【００１２】
【発明の実施の形態】
次に、図面を参照して、本発明の実施の形態について説明する。
【００１３】
図１は、本発明の無線情報端末装置の第１の実施の形態の構成を示すブロック図である。この無線情報端末装置は、無線基地局と無線通信を行う無線通信部１と、端末装置の種々の制御をつかさどる制御部２と、各種の変数やパラメータを記憶するメモリ部３と、各種情報データを記憶するデータ記憶部４と、データを表示する表示部５と、使用者が端末を操作するための操作部６とを含んで構成される。無線基地局は、ＷＷＷブラウザ情報を提供するサーバ装置と接続されている。
【００１４】
次に、図１を参照して、本発明の無線情報端末装置の第１の実施の形態の動作について説明する。装置の使用者が、操作部６を操作してＷＷＷブラウザ情報を取得しようとすると、制御部２は、無線通信部１を動作させ無線基地局との通信回線を確保し、データを送信する。無線基地局は、端末からのデータに基づき取得しようとするＷＷＷブラウザ情報をサーバ装置から探し、ブラウザデータを端末装置に送信する。無線基地局から送信され、無線通信部１で受信されたブラウザデータは、制御部２に送られ、制御部２は、ブラウザデータを継続して受信するように無線通信部１の動作を継続するよう制御するとともに、表示部５に入力されたブラウザデータを順次表示させていく。ブラウザデータには終了を認識させるための終了データが最後に付随されており、制御部２は、終了データを認識するまでブラウザデータを取得し、データ取得後は使用者からの次の要求を待つ。一方、電波状況の障害等により無線通信が切断され、ブラウザデータが途中で中断した場合は、前期の終了データの認識ができないため、制御部２は、中断前まで取得したブラウザデータの最後に中断フラグを付加し、データ記憶部４に記憶させる。その後、使用者が、操作部６を操作し再度同じブラウザデータ取得を継続すると、制御部２は、無線通信部１を動作させ、無線通信を再開する。ブラウザデータを受信した制御部２は、前回データ記憶部４に記憶されているデータを読み出し、比較していく。データ記憶部４から中断フラグを検出すると、制御部２は無線基地局に対し、中途切断であったことを認識させるための重複データ信号を無線通信部１を介して送出する。無線基地局側では重複データであるため、重複データ信号以前のデータ通信課金に対して、課金の重複排除処理を行う。制御部２は、以降のブラウザデータ取得を終了データ認識まで継続し、後受信したブラウザデータを順次表示部５に表示する。
【００１５】
図２は、本発明の無線情報端末装置の第１の実施の形態におけるＵＲＬシーケンスのフォーマット例を示す図である。一連のＵＲＬ部１１と、その後にＵＲＬ内容の一般的な性質を有するヘッダー部１２と、データ部１３と続き、最後にデータ終了信号部１４となる。
【００１６】
図３は、本発明の無線情報端末装置の第１の実施の形態の基本動作を示すフローチャートである。まず、使用者が、操作部６を操作して制御部２にＷＷＷブラウザの取得を入力する（ステップＳ１）。制御部２は、無線通信部１を制御し、無線基地局との無線回線を接続し、無線基地局からの応答を待つ（ステップＳ２）。無線基地局から要求したＷＷＷブラウザデータを取得する（ステップＳ３）。データ取得を継続し、データが中断する（ステップＳ４）。制御部２は、データ中断前にデータ終了信号を受信したかどうか判断し（ステップＳ５）、データ終了信号が入力されていれば、受信したブラウザデータを表示部５に順次表示させ（ステップＳ６）、使用者からの次の要求を待つ（ステップＳ７）。一方、データ終了信号が受信されていないときは、受信したデータの最後にデータ中断フラグを付加し（ステップＳ８）、データ記憶部４にデータ中断フラグを付加したブラウザデータを記憶させる（ステップＳ９）。使用者が同じブラウザデータの取得を要求すると（ステップＳ１０）、制御部２は、無線通信部１を介して無線基地局と再接続をし、ブラウザデータを読み込んでいく（ステップＳ１１）。ここで制御部２は、データ記憶部４に記憶されているデータを読み込み（ステップＳ１２）、データ中断フラグの付加されたデータと比較し（ステップＳ１３）、データ中断フラグがなければデータ取得を続ける（ステップＳ１１）。一方、データ中断フラグがあった場合は、重複データ信号を出力し（ステップＳ１４）、中断フラグ以降のデータを入力し（ステップＳ１５）、ステップＳ３以降の動作を継続する。無線情報端末から重複データ信号を受けた無線基地局では、以前のデータに対する課金処理を削除する。
【００１７】
次に、図面を参照して、本発明の第２の実施の形態について説明する。
【００１８】
図４は、本発明の無線情報端末装置の第２の実施の形態の構成を示すブロック図である。この無線情報端末装置は、図１の第１の実施の形態の構成に加え、データ記憶部４のデータ容量と受信するデータ容量とを比較する比較部７を有している。すなわち、無線基地局と無線通信を行う無線通信部１と、端末装置の種々の制御をつかさどる制御部２と、各種の変数やパラメータを記憶するメモリ部３と、各種情報データを記憶するデータ記憶部４と、データを表示する表示部５と、使用者が端末を操作するための操作部６と、データ記憶部４のデータ容量と受信するデータ容量とを比較する比較部７とを含んで構成される。無線基地局は、第１の実施の形態と同様に、ＷＷＷブラウザ情報を提供するサーバ装置と接続されている。
【００１９】
次に、図４を参照して、本発明の無線情報端末装置の第２の実施の形態の動作について説明する。装置の使用者が、操作部６を操作してＷＷＷブラウザ情報を取得しようとすると、制御部２は、無線通信部１を動作させ無線基地局との通信回線を確保し、データを送信する。無線基地局は端末からのデータに基づき取得しようとするブラウザ情報をサーバ装置から探し、ブラウザデータを端末装置に送信する。無線基地局から送信され、無線通信部１で受信されたブラウザデータは制御部２に送られる。比較部７は、ブラウザデータに付随されるデータ量情報とデータ記憶部４の記憶容量とを比較し、全てのブラウザデータを受信可能か否かを判断する。受信可能なら、制御部２は、ブラウザデータを継続して受信するように無線通信部１の動作を継続するよう制御するとともに、表示部５に入力されたブラウザデータを順次表示させていく。比較の結果、データ記憶部４の記憶容量をオーバーする場合は記憶容量までのデータを順次取得していき、記憶容量に達した時に終了データ信号を受信データに付加する。比較部７で比較した記憶容量に満たないうちに電波状況の障害等により無線通信が切断されると、前期の終了データ信号を付加しないため、制御部２は中断前まで取得したブラウザデータの最後に中断フラグを付加し、データ記憶部４に記憶する。
【００２０】
図５は、本発明の無線情報端末装置の第２の実施の形態におけるＵＲＬシーケンスのフォーマット例を示す図である。一連のＵＲＬ部１１と、ＵＲＬのデータサイズを表すデータ容量情報部１５が設けられ、その後にＵＲＬ内容の一般的な性質を有するヘッダー部１２と、データ部１３と続く。
【００２１】
図６は、本発明の無線情報端末装置の第２の実施の形態の基本動作を示すフローチャートである。図３で説明した第１の実施の形態の基本動作と同じ動作については同一のステップ番号とする。まず、使用者が、操作部６を操作して制御部２にＷＷＷブラウザの取得を入力する（ステップＳ１）。制御部２は、無線通信部１を制御し、無線基地局との無線回線を接続し、無線基地局からの応答を待つ（ステップＳ２）。無線基地局からは要求したＷＷＷブラウザデータに付随するデータ量情報が送信され、データを取得する（ステップＳ２０）。ここで、制御部２は、以降のデータ取得を中断し（ステップＳ２１）、データ記憶部４から記憶容量を取得する（ステップＳ２２）。比較部７は、取得しようとするＷＷＷブラウザデータ量とデータ記憶部４の記憶容量とを比較し、許容範囲内か否かを判断する（ステップＳ２３）。許容範囲内であれば、中断したデータの再送要求を無線通信部１を介して無線基地局に送り（ステップＳ２４）、ステップＳ２１での中断以降のブラウザデータを取得する（ステップＳ２５）。ブラウザデータが取得されるとデータに応じて順次表示部５に表示させる（ステップＳ２６）。全てのブラウザデータを取得すると、終了データ信号を発生させデータ記憶部４に記憶させる（ステップＳ２７）。一方、ステップＳ２３で許容範囲をオーバーする場合は、データ記憶部４の記憶容量までのブラウザデータ取得を継続し（ステップＳ２８）、データ記憶部４の記憶容量に到達すると、終了データ信号を発生させ、データ記憶部４に記憶する（ステップＳ２９）。制御部２では終了データ信号を発生させる以前にブラウザデータ取得が中断した場合は終了データ信号を発生したか否かを判断し（ステップＳ３０）、終了データ信号発生時には通信を完了させる。一方、終了データ信号を発生しない場合は、無線通信部１と無線基地局との再接続を行い、データ未取得信号を無線通信部１を介して無線基地局に送る（ステップＳ３１）。無線情報端末からデータ未取得信号を受けた無線基地局では、以前のデータに対する課金処理を削除する。
【００２２】
【発明の効果】
以上説明したように、本発明の無線情報端末装置では、ＷＷＷブラウザを読み込む際に、電波状態の変化によりデータ取得完了前に中断された場合、データ中断フラグを付加したデータして記憶すると共に、再度同じブラウザデータを読み込んだときの重複課金を削減でき、使用者にとっての経済性も損ねないという効果を奏する。
【００２３】
また、データ量の多い場合に途中で通信切断した場合にも未取得データ処理により、不要な課金をされないという効果も奏する。
【図面の簡単な説明】
【図１】本発明の第１の実施の形態の構成を示すブロック図である。
【図２】本発明の第１の実施の形態におけるＵＲＬシーケンスのフォーマットの一例を示す図である。
【図３】本発明の第１の実施の形態の基本動作を示すフローチャートである。
【図４】本発明の第２の実施の形態の構成を示すブロック図である。
【図５】本発明の第２の実施の形態におけるＵＲＬシーケンスのフォーマットの一例を示す図である。
【図６】本発明の第２の実施の形態の基本動作を示すフローチャートである。
【符号の説明】
１  無線通信部
２  制御部
３  メモリ部
４  データ記憶部
５  表示部
６  操作部
７  データ比較部
１１  ＵＲＬ部
１２  ヘッダー部
１３  データ部
１４  データ終了信号部
１５  データ容量情報部
【図１】
0003662834.tif 000002
【図２】
0003662834.tif 000003
【図３】
0003662834.tif 000004
【図４】
0003662834.tif 000005
【図５】
0003662834.tif 000006
【図６】
0003662834.tif 000007